(57)【要約】【課題】電子機器の製造コストを抑制可能な電子機器のカバーを提供する。【解決手段】電子機器のカバー１は、電子機器のボタンが挿入される貫通孔１０を備える。貫通孔１０は、予め設定された位置Ｐ１を中心とする第１の円弧部１１と、カバー１の表面と平行な第１の方向（Ｘ）で第１の円弧部１１と対向するように配置され、予め設定された位置Ｐ１を中心として第１の円弧部１１と等しい直径の第２の円弧部１２と、第１の円弧部１１及び第２の円弧部１２の一方の端部からカバー１の表面と平行であって、且つ第１の方向と直交する第２の方向（Ｙ）で予め設定された位置Ｐ１に対して外方に突出する矩形領域を形成する第１の突出部１３と、第１の円弧部１１及び第２の円弧部１２の他方の端部から第２の方向で予め設定された位置Ｐ１に対して外方に突出する矩形領域を形成する第２の突出部１４と、で囲まれている。【選択図】図１
2020119951.tif 000002
【特許請求の範囲】
【請求項１】
電子機器のカバーは、
当該電子機器のボタンが挿入される貫通孔を備え、
前記貫通孔は、
予め設定された位置を中心とする第１の円弧部と、
前記カバーの表面と平行な第１の方向で前記第１の円弧部と対向するように配置され、前記予め設定された位置を中心として前記第１の円弧部と等しい直径の第２の円弧部と、
前記第１の円弧部及び前記第２の円弧部の一方の端部から前記カバーの表面と平行であって、且つ前記第１の方向と直交する第２の方向で前記予め設定された位置に対して外方に突出する矩形領域を形成する第１の突出部と、
前記第１の円弧部及び前記第２の円弧部の他方の端部から前記第２の方向で前記予め設定された位置に対して外方に突出する矩形領域を形成する第２の突出部と、
で囲まれている、電子機器のカバー。
【請求項２】
前記第１の円弧部及び前記第２の円弧部の直径は、
前記電子機器における予め設定された丸形ボタンの直径と等しい、
請求項１に記載の電子機器のカバー。
【請求項３】
前記第１の突出部及び前記第２の突出部は、
前記電子機器の予め設定された矩形ボタンにおける前記第２の方向の端部の周縁と等しい、
請求項１又は２に記載の電子機器のカバー。
【請求項４】
請求項１乃至３のいずれか１項に記載の電子機器のカバーと、
前記電子機器のカバーの貫通孔に挿入されるボタンと、
を備える、電子機器。
【請求項５】
前記ボタンは、
前記電子機器のカバーの第１の円弧部及び第２の円弧部と等しい直径を有する円形状の本体部と、
前記電子機器のカバーの第１の突出部と等しい周縁を有し、前記本体部における前記電子機器のカバーの表面と直交する第３の方向の一方の部分から突出する矩形状突起である第１の突出部と、
前記電子機器のカバーの第２の突出部と等しい周縁を有し、前記本体部における前記第３の方向の一方の部分から前記第２の方向で前記第１の突出部と対向するように突出する矩形状突起である第２の突出部と、
を備える、請求項４に記載の電子機器。
【請求項６】
前記ボタンは、
前記電子機器のカバーの第１の突出部及び第２の突出部と等しい周縁を前記第２の方向の両側に有する矩形状の本体部と、
前記電子機器のカバーの第１の円弧部と等しい周縁を有し、前記本体部における前記電子機器のカバーの表面と直交する第３の方向の一方の部分から突出する円弧状突起である第１の突出部と、
前記電子機器のカバーの第２の円弧部と等しい周縁を有し、前記本体部における前記第３の方向の一方の部分から前記第１の方向で前記第１の突出部と対向するように突出する円弧状突起である第２の突出部と、
を備える、請求項４に記載の電子機器。
【請求項７】
前記本体部における前記第３の方向の他方の部分が挿入される貫通孔を有し、
前記電子機器のカバーを覆い、
前記電子機器のカバーの第１の突出部及び第２の突出部を覆う、
第２のカバーを備える、請求項５又は６に記載の電子機器。
【発明の詳細な説明】
【技術分野】
【０００１】
本開示は、電子機器のカバー及び電子機器に関する。
【背景技術】
【０００２】
一般的な卓上電話機に代表される電子機器は、特許文献１に開示されているように、操作者がボタンを介して操作する構成とされている。ボタンとしては、丸形ボタンが採用されたり、矩形ボタンが採用されたり、している。
【０００３】
そして、図１７Ａ及び図１７Ｂに示すように、丸形ボタン１０１は、第１のカバー１０２の貫通孔１０２ａ及び第２のカバー１０３の貫通孔１０３ａに通された状態で、電子機器に搭載される。また、図１８Ａ及び図１８Ｂに示すように、矩形ボタン２０１も、第１のカバー２０２の貫通孔２０２ａ及び第２のカバー２０３の貫通孔２０３ａに通された状態で、電子機器に搭載されている。
【０００４】
このとき、第１のカバー１０２の貫通孔１０２ａ及び第２のカバー１０３の貫通孔１０３ａは、丸形ボタン１０１に対応するように丸形状に形成されている。また、第１のカバー２０２の貫通孔２０２ａ及び第２のカバー２０３の貫通孔２０３ａは、矩形ボタン２０１に対応するように矩形状に形成されている。
【０００５】
ちなみに、図１７Ａ及び図１８Ａでは、ボタンと第１のカバーと第２のカバーとに分解した状態を示し、図１７Ｂ及び図１８Ｂでは、ボタンが第１のカバー及び第２のカバーの貫通孔に通された状態を示している。
【先行技術文献】
【特許文献】
【０００６】
【特許文献１】実開平２−８９８８２号公報
【発明の概要】
【発明が解決しようとする課題】
【０００７】
一般的な第１のカバーの貫通孔は、図１７Ａ、図１７Ｂ及び図１８Ａ、図１８Ｂに示すように、ボタンの形状に対応した形状に形成されている。そのため、ボタンの形状に応じて、第１のカバーを用意する必要があり、電子機器の製造コストが嵩む課題を有する。
【０００８】
本明細書に開示される実施形態が達成しようとする目的の１つは、当該課題の解決に寄与する電子機器のカバー及び電子機器を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００９】
第１の態様の電子機器のカバーは、
当該電子機器のボタンが挿入される貫通孔を備え、
前記貫通孔は、
予め設定された位置を中心とする第１の円弧部と、
前記カバーの表面と平行な第１の方向で前記第１の円弧部と対向するように配置され、前記予め設定された位置を中心として前記第１の円弧部と等しい直径の第２の円弧部と、
前記第１の円弧部及び前記第２の円弧部の一方の端部から前記カバーの表面と平行であって、且つ前記第１の方向と直交する第２の方向で前記予め設定された位置に対して外方に突出する矩形領域を形成する第１の突出部と、
前記第１の円弧部及び前記第２の円弧部の他方の端部から前記第２の方向で前記予め設定された位置に対して外方に突出する矩形領域を形成する第２の突出部と、
で囲まれている。
【００１０】
第２の態様の電子機器は、
上述の電子機器のカバーと、
前記電子機器のカバーの貫通孔に挿入されるボタンと、
を備える。
【発明の効果】
【００１１】
上述の態様によれば、電子機器の製造コストを抑制可能な、電子機器のカバー及び電子機器を提供できる。
【図面の簡単な説明】
【００１２】
【図１】実施の形態の電子機器に用いられるカバーを模式的に示す斜視図である。
【図２】実施の形態の電子機器に用いられるカバーを模式的に示す正面図である。
【図３】実施の形態の第１のボタンを模式的に示す斜視図である。
【図４】実施の形態の第１のボタンを模式的に示す正面図である。
【図５】実施の形態の第１のボタンを模式的に示す側面図である。
【図６】実施の形態のカバーの貫通孔に第１のボタンが挿入される様子を模式的に示す斜視図である。
【図７】実施の形態のカバーの貫通孔に第１のボタンが挿入された状態を模式的に示す正面図である。
【図８】実施の形態の第２のボタンを模式的に示す斜視図である。
【図９】実施の形態の第２のボタンを模式的に示す正面図である。
【図１０】実施の形態の第２のボタンを模式的に示す側面図である。
【図１１】実施の形態のカバーの貫通孔に第２のボタンが挿入される様子を模式的に示す斜視図である。
【図１２】実施の形態のカバーの貫通孔に第２のボタンが挿入された状態を模式的に示す正面図である。
【図１３】実施の形態のカバー及び第１のボタンが用いられた卓上電話機を模式的に示す分解図である。
【図１４】実施の形態のカバー及び第１のボタンが用いられた卓上電話機を模式的に示す組立図である。
【図１５】実施の形態のカバー及び第２のボタンが用いられた卓上電話機を模式的に示す分解図である。
【図１６】実施の形態のカバー及び第２のボタンが用いられた卓上電話機を模式的に示す組立図である。
【図１７Ａ】一般的な丸形ボタンと第１のカバーと第２のカバーとに分解した状態を示す図である。
【図１７Ｂ】一般的な丸形ボタンが第１のカバー及び第２のカバーの貫通孔に通された状態を示す図である。
【図１８Ａ】一般的な矩形ボタンと第１のカバーと第２のカバーとに分解した状態を示す図である。
【図１８Ｂ】一般的な矩形ボタンが第１のカバー及び第２のカバーの貫通孔に通された状態を示す図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
先ず、本実施の形態の電子機器に用いられるカバーの構成を説明する。図１は、本実施の形態の電子機器に用いられるカバーを模式的に示す斜視図である。図２は、本実施の形態の電子機器に用いられるカバーを模式的に示す正面図である。
【００１５】
なお、以下の説明では、説明を明確にするために、三次元（ＸＹＺ）座標系を用いて説明する。ここで、Ｘ軸（第１の方向）は、カバーの表面と平行に延在し、Ｙ軸（第２の方向）は、カバーの表面と平行であって、且つＸ軸と直交する方向に延在する。また、Ｚ軸は、Ｘ軸及びＹ軸と直交する方向に延在し、Ｚ軸＋側がカバーの表側であり、Ｚ軸−側がカバーの裏側である。
【００１６】
図１及び図２に示すカバー１は、適用例は後述するが、卓上電話機などの電子機器に用いられ、例えば、樹脂製である。カバー１は、図１及び図２に示すように、カバー１をＺ軸方向に貫通する貫通孔１０を備えている。貫通孔１０には、後述するように、電子機器のボタンが挿入される。
【００１７】
詳細には、貫通孔１０は、Ｚ軸方向から見て第１の円弧部１１と第２の円弧部１２と第１の突出部１３と第２の突出部１４とで囲まれている。そして、貫通孔１０は、カバー１の予め設定された位置Ｐ１を中心に点対称の形状である。
【００１８】
第１の円弧部１１は、予め設定された位置Ｐ１を中心として第１の直径Ｒ１を有する。第２の円弧部１２は、Ｘ軸方向で第１の円弧部１１と対向するように配置され、当該予め設定された位置Ｐ１を中心として第１の直径Ｒ１を有する。
【００１９】
第１の突出部１３は、第１の円弧部１１及び第２の円弧部１２のＹ軸＋側の端部から予め設定された位置Ｐ１に対してＹ軸＋側に突出する略矩形領域を形成する。つまり、第１の突出部１３のＸ軸＋側の部分とＸ軸−側の部分とが略平行であり、第１の突出部１３のＹ軸＋側の部分がＸ軸＋側の部分及びＸ軸−側の部分と略直交している。そして、第１の突出部１３のＸ軸＋側の部分及びＸ軸−側の部分のＹ軸−側の端部を結んだ直線とＹ軸＋側の部分とが略平行である。
【００２０】
第２の突出部１４は、予め設定された位置Ｐ１を通り、且つＸ軸と平行な直線を中心として第１の突出部１３と鏡面対称の形状である。第２の突出部１４は、第１の円弧部１１及び第２の円弧部１２のＹ軸−側の端部から予め設定された位置Ｐ１に対してＹ軸−側に突出する略矩形領域を形成する。
【００２１】
つまり、第２の突出部１４のＸ軸＋側の部分とＸ軸−側の部分とが略平行であり、第２の突出部１４のＹ軸−側の部分がＸ軸＋側の部分及びＸ軸−側の部分と略直交している。そして、第２の突出部１４のＸ軸＋側の部分及びＸ軸−側の部分のＹ軸＋側の端部を結んだ直線とＹ軸−側の部分とが略平行である。
【００２２】
このようなカバー１の貫通孔１０は、図２に示すように、第１の円弧部１１と第２の円弧部１２とを結んで（一点鎖線）円形状を形成でき、第１の突出部１３と第２の突出部１４とを結んで（二点鎖線）矩形状を形成できる。そのため、電子機器のボタンが丸形ボタンであっても、矩形ボタンであっても、挿入することができる。そのため、ボタンの形状に応じて、カバーを用意する必要がなく、カバー１の汎用性が高く、電子機器の製造コストを抑制することができる。
【００２３】
このとき、第１の直径Ｒ１は、予め電子機器に採用することが予定されている丸形ボタンの直径と略等しいとよい。また、第１の突出部１３と第２の突出部１４とを結んだ矩形状は、予め電子機器に採用することが予定されている矩形ボタンの周縁と略等しいとよい。これにより、電子機器の外観の意匠性を向上させることができる。また、カバー１の貫通孔１０と電子機器のボタンとの隙間の発生を抑制することができる。
【００２４】
次に、本実施の形態のカバー１の貫通孔１０に挿入されるボタンの好ましい構成を説明する。先ず、丸形ボタンを基本形態とする第１のボタンを説明する。図３は、本実施の形態の第１のボタンを模式的に示す斜視図である。図４は、本実施の形態の第１のボタンを模式的に示す正面図である。図５は、本実施の形態の第１のボタンを模式的に示す側面図である。図６は、本実施の形態のカバーの貫通孔に第１のボタンが挿入される様子を模式的に示す斜視図である。図７は、本実施の形態のカバーの貫通孔に第１のボタンが挿入された状態を模式的に示す正面図である。
【００２５】
図３乃至図５に示す第１のボタン２は、上述のように丸形ボタンを基本形態としており、例えば、樹脂製である。詳細には、第１のボタン２は、図３乃至図５に示すように、第１のボタン２の中心軸Ｏ１を中心に点対称に形成されており、本体部２０、第１の突出部２１及び第２の突出部２２を備えている。
【００２６】
本体部２０は、Ｚ軸方向から見て略円形状であり、Ｚ軸方向に延在している。つまり、本体部２０は、Ｚ軸方向に延在する略円柱形状である。そして、本体部２０は、カバー１の貫通孔１０に挿入できるように第１の直径Ｒ１と略等しい直径を有する。
【００２７】
第１の突出部２１は、本体部２０のＺ軸−側の部分からＹ軸＋側に突出している。第１の突出部２１は、カバー１の貫通孔１０の第１の突出部１３の内部に挿入できるように当該第１の突出部１３と略等しい周縁を有する。
【００２８】
つまり、第１の突出部２１は、カバー１の貫通孔１０の第１の突出部１３と対応するように、Ｚ軸方向から見て略矩形状であり、Ｚ軸方向に延在している。言い換えると、第１の突出部２１は、Ｚ軸方向に延在する略矩形柱形状である。
【００２９】
そのため、第１の突出部２１のＸ軸＋側の辺とＸ軸−側の辺とが略平行であり、第１の突出部２１のＹ軸＋側の辺がＸ軸＋側の辺及びＸ軸−側の辺と略直交している。そして、第１の突出部２１のＸ軸＋側の辺及びＸ軸−側の辺のＹ軸−側の端部を結んだ直線とＹ軸＋側の辺とが略平行である。
【００３０】
第２の突出部２２は、本体部２０のＺ軸−側の部分から第１の突出部２１と対向するようにＹ軸−側に突出している。第２の突出部２２は、カバー１の貫通孔１０の第２の突出部１４の内部に挿入できるように当該第２の突出部１４と略等しい周縁を有する。
【００３１】
つまり、第２の突出部２２は、カバー１の貫通孔１０の第２の突出部１４と対応するように、Ｚ軸方向から見て略矩形状であり、Ｚ軸方向に延在している。言い換えると、第２の突出部２２は、Ｚ軸方向に延在する略矩形柱形状である。
【００３２】
そのため、第２の突出部２２のＸ軸＋側の辺とＸ軸−側の辺とが略平行であり、第２の突出部２２のＹ軸−側の辺がＸ軸＋側の辺及びＸ軸−側の辺と略直交している。そして、第２の突出部２２のＸ軸＋側の辺及びＸ軸−側の辺のＹ軸＋側の端部を結んだ直線とＹ軸−側の辺とが略平行である。
【００３３】
このように第１のボタン２は、カバー１の貫通孔１０に対応する形状であるので、図６及び図７に示すように、カバー１の貫通孔１０に挿入することができる。つまり、丸形ボタンを基本形態とする第１のボタン２をカバー１の貫通孔１０に挿入することができる。
【００３４】
また、第１のボタン２の第１の突出部２１及び第２の突出部２２がカバー１の貫通孔１０の第１の突出部１３及び第２の突出部１４の内部に挿入される。そのため、カバー１の貫通孔１０における第１のボタン２の本体部２０が挿入される部分以外の部分からの異物の侵入を抑制することができる。
【００３５】
しかも、カバー１の貫通孔１０に第１のボタン２が挿入された状態で、第１のボタン２の周縁の略全域がカバー１の貫通孔１０の周縁で拘束されるので、第１のボタン２のガタツキを抑制することができる。
【００３６】
次に、矩形ボタンを基本形態とする第２のボタンを説明する。図８は、本実施の形態の第２のボタンを模式的に示す斜視図である。図９は、本実施の形態の第２のボタンを模式的に示す正面図である。図１０は、本実施の形態の第２のボタンを模式的に示す側面図である。図１１は、本実施の形態のカバーの貫通孔に第２のボタンが挿入される様子を模式的に示す斜視図である。図１２は、本実施の形態のカバーの貫通孔に第２のボタンが挿入された状態を模式的に示す正面図である。
【００３７】
図８乃至図１０に示す第２のボタン３は、上述のように矩形ボタンを基本形態としており、例えば、樹脂製である。詳細には、第２のボタン３は、図８乃至図１０に示すように、第２のボタン３の中心軸Ｏ２を中心に点対称に形成されており、本体部３０、第１の突出部３１及び第２の突出部３２を備えている。
【００３８】
本体部３０は、Ｚ軸方向から見て略矩形状であり、Ｚ軸方向に延在している。言い換えると、本体部３０は、Ｚ軸方向に延在する略矩形柱形状である。そして、カバー１の貫通孔１０における第１の突出部１３及び第２の突出部１４の内部に挿入できるように、本体部３０のＹ軸方向の両側の周縁が第１の突出部１３及び第２の突出部１４と略等しく形成されている。つまり、本体部３０は、Ｚ軸方向から見てカバー１の貫通孔１０の第１の突出部１３と第２の突出部１４とを結んだ矩形状と対応する。
【００３９】
第１の突出部３１は、本体部３０のＺ軸−側の部分からＸ軸−側に突出している。そして、第１の突出部３１は、カバー１の貫通孔１０の第１の円弧部１１の内部に挿入できるように、Ｚ軸方向から見てカバー１の貫通孔１０の第１の円弧部１１と略等しい周縁を有する。
【００４０】
つまり、第１の突出部３１は、図９に示すように、第２のボタン３の中心軸Ｏ２を中心として第１の直径Ｒ１と略等しい直径を有する円弧部３１ａと本体部３０のＸ軸−側の辺とで囲まれた円弧状突起がＺ軸方向に延在する円弧柱形状である。
【００４１】
第２の突出部３２は、本体部３０のＺ軸−側の部分から第１の突出部３１と対向するようにＸ軸＋側に突出している。そして、第２の突出部３２は、カバー１の貫通孔１０の第２の円弧部１２の内部に挿入できるように、Ｚ軸方向から見てカバー１の貫通孔１０の第２の円弧部１２と略等しい周縁を有する。
【００４２】
つまり、第２の突出部３２は、図９に示すように、第２のボタン３の中心軸Ｏ２を中心として第１の直径Ｒ１と略等しい直径を有する円弧部３２ａと本体部３０のＸ軸＋側の辺とで囲まれた円弧状突起がＺ軸方向に延在する円弧柱形状である。
【００４３】
このように第２のボタン３は、カバー１の貫通孔１０に対応する形状であるので、図１１及び図１２に示すように、カバー１の貫通孔１０に挿入することができる。つまり、矩形ボタンを基本形態とする第２のボタン３もカバー１の貫通孔１０に挿入することができる。
【００４４】
また、第２のボタン３の第１の突出部３１及び第２の突出部３２がカバー１の貫通孔１０の第１の円弧部１１及び第２の円弧部１２の内部に挿入される。そのため、カバー１の貫通孔１０における第２のボタン３の本体部３０が挿入される部分以外の部分からの異物の侵入を抑制することができる。
【００４５】
しかも、カバー１の貫通孔１０に第２のボタン３が挿入された状態で、第２のボタン３の周縁の略全域がカバー１の貫通孔１０の周縁で拘束されるので、第２のボタン３のガタツキを抑制することができる。
【００４６】
次に、本実施の形態のカバー１の適用例を説明する。図１３は、本実施の形態のカバー及び第１のボタンが用いられた卓上電話機を模式的に示す分解図である。図１４は、本実施の形態のカバー及び第１のボタンが用いられた卓上電話機を模式的に示す組立図である。図１５は、本実施の形態のカバー及び第２のボタンが用いられた卓上電話機を模式的に示す分解図である。図１６は、本実施の形態のカバー及び第２のボタンが用いられた卓上電話機を模式的に示す組立図である。
【００４７】
本実施の形態のカバー１は、図１３及び図１５に示すように、電子機器の一例である卓上電話機４０のカバーの少なくとも一部に適用することができる。詳細には、卓上電話機４０は、卓上電話機４０としての機能を実現するための基板などが搭載される筐体４１、本実施の形態のカバー１が一部に適用された第１のカバー４２、ボタン４３及び送受話部４４を備えている。なお、卓上電話機４０の詳細な説明は、本開示の本質的部分ではないため、省略する。
【００４８】
卓上電話機４０においては、第１のカバー４２の一部に本実施の形態のカバー１を適用しているので、卓上電話機４０のボタン４３として丸形ボタンを採用しても、矩形ボタンを採用しても、いずれの場合も第１のカバー４２の設計変更が不要である。そのため、電子機器である卓上電話機４０の製造コストを抑制することができる。
【００４９】
このとき、図１３及び図１５に示すように、ボタン４３として、上述の丸形ボタンを基本形態とする第１のボタン２や矩形ボタンを基本形態とする第２のボタン３を好適に用いることができる。これにより、第１のカバー４２の貫通孔１０におけるボタンの本体部が挿入される部分以外の部分からの異物の侵入を抑制することができる。
【００５０】
ここで、卓上電話機４０は、図１４及び図１６に示すように、第１のカバー４２における貫通孔１０の第１の突出部１３及び第２の突出部１４を覆う第２のカバー４５を備えているとよい。第２のカバー４５は、ボタン４３のＺ軸＋側の部分を挿入するために、ボタン４３のＺ軸＋側の形状に応じて、丸形状又は矩形状の貫通孔４５ａが形成されており、当該貫通孔４５ａにボタン４３のＺ軸＋側の端部が挿入された状態で、第１のカバー４２における貫通孔１０の第１の突出部１３及び第２の突出部１４を覆う。
【００５１】
これにより、第１のカバー４２における貫通孔１０の第１の突出部１３及び第２の突出部１４とボタン４３の突出部（即ち、第１のボタン２の第１の突出部２１や第２の突出部２２、又は第２のボタン３の第１の突出部３１や第２の突出部３２）との隙間に異物が侵入することを抑制できる。しかも、卓上電話機４０の外観の意匠性を向上させることができる。
【００５２】
上述した実施の形態は本件発明者により得られた技術思想の適用に関する例に過ぎない。すなわち、当該技術思想は、上述した実施形態のみに限定されるものではなく、種々の変更が可能であることは勿論である。
【００５３】
上述した実施の形態のカバー１は、卓上電話機４０の第１のカバー４２に適用したが、丸形ボタン又は矩形ボタンの何れかによって操作される電子機器に適用することができる。
【符号の説明】
【００５４】
１  カバー（電子機器のカバー）、１０  貫通孔、１１  第１の円弧部、１２  第２の円弧部、１３  第１の突出部、１４  第２の突出部
２  第１のボタン、２０  本体部、２１  第１の突出部、２２  第２の突出部
３  第２のボタン、３０  本体部、３１  第１の突出部、３２  第２の突出部
４０  卓上電話機
４２  第１のカバー
４３  ボタン
４５  第２のカバー、４５ａ  貫通孔
【図１】
2020119951.tif 000003
【図２】
2020119951.tif 000004
【図３】
2020119951.tif 000005
【図４】
2020119951.tif 000006
【図５】
2020119951.tif 000007
【図６】
2020119951.tif 000008
【図７】
2020119951.tif 000009
【図８】
2020119951.tif 000010
【図９】
2020119951.tif 000011
【図１０】
2020119951.tif 000012
【図１１】
2020119951.tif 000013
【図１２】
2020119951.tif 000014
【図１３】
2020119951.tif 000015
【図１４】
2020119951.tif 000016
【図１５】
2020119951.tif 000017
【図１６】
2020119951.tif 000018
【図１７Ａ】
2020119951.tif 000019
【図１７Ｂ】
2020119951.tif 000020
【図１８Ａ】
2020119951.tif 000021
【図１８Ｂ】
2020119951.tif 000022